(57)【要約】【課題】本発明に係る携帯端末は、非対応の周波数帯域の信号の品質値の測定を実行しないように制御し、安定した無線通信を実現することを可能とする。【解決手段】本発明に係る携帯端末は、無線通信可能な第１周波数帯域及び無線通信可能ではない第２周波数帯域を含む特定のＬＴＥ周波数帯域の対応帯域名を基地局に送信する送信部と、基地局から送信される特定信号の電波品質又は電界強度を示す品質値を測定する測定部と、測定報告を受信した確立基地局から、対応帯域名に係るＬＴＥ周波数帯域の全周波数の測定指示を受信した場合、測定指示に含まれる全周波数のうち第２周波数帯域に含まれる周波数以外の周波数の特定信号を測定するように測定部を制御し、測定部によって測定された品質値が第２所定値よりも高い特定信号がある場合、第２所定値よりも高い特定信号を送信した基地局との無線通信の確立を実行するように制御する制御部とを備える。【選択図】図１
2018014593.tif 000002
【特許請求の範囲】
【請求項１】
無線通信可能な第１周波数帯域及び無線通信可能ではない前記第１周波数帯域以外の第２周波数帯域を含む特定のＬＴＥ周波数帯域の対応帯域名を利用して基地局と無線通信を行う携帯端末であって、
前記第２周波数帯域及び前記対応帯域名を記憶する記憶部と、
前記対応帯域名を前記基地局に送信する第１送信部と、
前記基地局から送信される特定信号の電波品質又は電界強度を示す品質値を測定する測定部と、
無線通信が確立している確立基地局から送信された特定信号の前記品質値が第１所定値よりも低い場合、前記品質値が前記第１所定値よりも低いことを示す測定報告を前記確立基地局に送信する第２送信部と、
前記測定報告を受信した前記確立基地局から、前記対応帯域名に係る前記ＬＴＥ周波数帯域の全周波数の測定指示を受信する受信部と、
前記測定指示を受信した場合、前記測定指示に含まれる全周波数のうち前記第２周波数帯域に含まれる周波数以外の周波数の前記特定信号を測定するように前記測定部を制御し、前記測定部によって測定された前記品質値が第２所定値よりも高い特定信号がある場合、前記第２所定値よりも高い特定信号を送信した基地局との無線通信の確立を実行するように制御する制御部と、
を備えることを特徴とする携帯端末。
【請求項２】
前記制御部は、前記第２所定値よりも高い特定信号を送信した基地局が前記確立基地局である場合、前記確立基地局との無線通信を継続するように制御する、請求項１に記載の携帯端末。
【請求項３】
前記制御部は、
前記第２所定値よりも高い特定信号を送信した基地局として前記確立基地局とは異なる他の基地局が含まれる場合、
前記測定部によって先に測定された特定信号を送信した基地局が前記確立基地局であれば、前記確立基地局との無線通信を継続するように制御し、
前記測定部によって先に測定された特定信号を送信した基地局が前記他の基地局であれば、前記他の基地局との無線通信の確立を実行するように制御する、請求項２に記載の携帯端末。
【請求項４】
前記第１周波数帯域は、ＡＸＧＰ帯域であり、
前記第２周波数帯域は、地域ＷｉＭＡＸ帯域であり、
前記特定のＬＴＥ周波数帯域は、３ＧＰＰによって規定されたＬＴＥバンド４１の周波数帯域である、請求項１〜３のいずれか１項に記載の携帯端末。
【発明の詳細な説明】
【技術分野】
【０００１】
本発明は、無線ネットワークと接続する携帯端末に関する。
【背景技術】
【０００２】
従来から、携帯端末は、基地局との無線通信を確立してネットワークと接続する場合、基地局のサーチを実行し、通信品質又は受信電界が最も高い信号を送信している基地局を選択し、選択した基地局との無線通信を確立させることが知られている。そして、携帯端末は、携帯端末を所有するユーザの移動に伴い、通信中の基地局との無線通信から他の基地局への無線通信の切り替えを行うハンドオーバを実行する。
【０００３】
例えば、特許文献１には、所定の基地局によってカバーされるセルに位置する携帯端末を、通信品質の変動が小さい他の基地局にハンドオーバさせる通信システムについて記載されている。このハンドオーバでは、まず、携帯端末は、各基地局からのリファレンス信号の通信品質を測定し、測定した通信品質の品質値を、現在無線通信が確立している基地局に送信する。次に、基地局は、携帯端末から送信された通信品質の品質値及びＴＴＴ（Ｔｉｍｅ  ｔｏ  Ｔｒｉｇｇｅｒ）に基づいて、次に無線通信を行うターゲット基地局を判定し、携帯端末及びターゲット基地局に対してハンドオーバの実行を指示する。そして、ハンドオーバの指示を受けた携帯端末は、通信中の基地局との無線通信からターゲット基地局との無線通信への切り替えを実行する。
【先行技術文献】
【特許文献】
【０００４】
【特許文献１】国際公開第２０１２／０９０３５７号
【発明の概要】
【発明が解決しようとする課題】
【０００５】
３ＧＰＰの技術仕様書「ＴＳ  ３６．１０１」によって規定されているＬＴＥ（Ｌｏｎｇ  Ｔｅｒｍ  Ｅｖｏｌｕｔｉｏｎ）バンドに対応する通信モジュールとは異なる、所定の通信規格に対応する通信モジュールを搭載する携帯端末が存在する。例えば、ＡＸＧＰ（Ａｄｖａｎｃｅｄ  ｅＸｔｅｎｄｅｄ  Ｇｌｏｂａｌ  Ｐｌａｔｆｏｒｍ）の通信規格に対応する通信モジュールを搭載する携帯端末が存在し、この携帯端末の通信モジュールは、２５４５ＭＨｚ〜２５７５ＭＨｚの周波数帯域に対応する。この場合、この携帯端末は、無線通信の接続の際に、２５４５ＭＨｚ〜２５７５ＭＨｚを含むバンド４１（Ｂａｎｄ  ４１）に対応する端末であることを示す通知を基地局に送信する。そして、基地局及びコアネットワークは、この携帯端末をバンド４１の周波数帯域に対応する端末であると判定する。
【０００６】
バンド４１の周波数帯域は、技術仕様書「ＴＳ  ３６．１０１」に規定されるとおり、２４９６ＭＨｚ〜２６９０ＭＨｚであり、ＡＸＧＰの周波数帯域以外の２５７５ＭＨｚ〜２６９０ＭＨｚ等の周波数帯域を含む。したがって、基地局は、この携帯端末に対して、ＡＸＧＰの周波数帯域以外の周波数帯域に対応する基地局への無線通信の切り替えを指示する場合や、バンド４１の全ての周波数の測定を指示する場合等があった。このような場合、この携帯端末は、バンド４１の周波数帯域のうちＡＸＧＰの周波数帯域以外の周波数には対応していないため、基地局からの指示を受けた際に、この携帯端末及び基地局間の無線通信が不安定になるという問題が生じていた。
【０００７】
本発明は、このような従来の課題を解決すべくなされたものであり、非対応の周波数帯域の信号の品質値の測定を実行しないように制御し、安定した無線通信を実現することを可能とする携帯端末を提供することを目的とする。
【課題を解決するための手段】
【０００８】
本発明に係る携帯端末は、無線通信可能な第１周波数帯域及び無線通信可能ではない第１周波数帯域以外の第２周波数帯域を含む特定のＬＴＥ周波数帯域の対応帯域名を利用して基地局と無線通信を行う携帯端末であって、第２周波数帯域及び対応帯域名を記憶する記憶部と、対応帯域名を基地局に送信する第１送信部と、基地局から送信される特定信号の電波品質又は電界強度を示す品質値を測定する測定部と、無線通信が確立している確立基地局から送信された特定信号の品質値が第１所定値よりも低い場合、品質値が第１所定値よりも低いことを示す測定報告を確立基地局に送信する第２送信部と、測定報告を受信した確立基地局から、対応帯域名に係るＬＴＥ周波数帯域の全周波数の測定指示を受信する受信部と、測定指示を受信した場合、測定指示に含まれる全周波数のうち第２周波数帯域に含まれる周波数以外の周波数の特定信号を測定するように測定部を制御し、測定部によって測定された品質値が第２所定値よりも高い特定信号がある場合、第２所定値よりも高い特定信号を送信した基地局との無線通信の確立を実行するように制御する制御部と、を備える。
【０００９】
また、本発明に係る携帯端末において、制御部は、第２所定値よりも高い特定信号を送信した基地局が確立基地局である場合、確立基地局との無線通信を継続するように制御することが好ましい。
【００１０】
また、本発明に係る携帯端末において、制御部は、第２所定値よりも高い特定信号を送信した基地局として確立基地局とは異なる他の基地局が含まれる場合、測定部によって先に測定された特定信号を送信した基地局が確立基地局であれば、確立基地局との無線通信を継続するように制御し、測定部によって先に測定された特定信号を送信した基地局が他の基地局であれば、他の基地局との無線通信の確立を実行するように制御することが好ましい。
【００１１】
また、本発明に係る携帯端末において、第１周波数帯域は、ＡＸＧＰ帯域であり、第２周波数帯域は、地域ＷｉＭＡＸ帯域であり、特定のＬＴＥ周波数帯域は、３ＧＰＰによって規定されたＬＴＥバンド４１の周波数帯域であることが好ましい。
【発明の効果】
【００１２】
本発明に係る携帯端末によって、非対応の周波数帯域の信号の品質値の測定を実行しないように制御し、安定した無線通信を実現することが可能となる。
【図面の簡単な説明】
【００１３】
【図１】移動通信システム１の概略を説明するための模式図である。
【図２】移動通信システム１の概略構成の一例を示す図である。
【図３】携帯端末２の概略構成の一例を示す図である。
【図４】通信部２１の概略構成の一例を示す図である。
【図５】移動通信システム１の動作シーケンスの一例を示す図である。
【図６】通信確立処理の一例を示すフローチャートである。
【発明を実施するための形態】
【００１４】
以下、図面を参照しつつ、本発明の様々な実施形態について説明する。ただし、本発明の技術的範囲はそれらの実施形態に限定されず、特許請求の範囲に記載された発明とその均等物に及ぶ点に留意されたい。
【００１５】
（移動通信システム１の概略）
移動通信システム１は、複数の基地局３１のそれぞれとの無線通信によりネットワークと接続する複数の携帯端末２を有する。携帯端末２は、例えば、「スマートフォン」と呼ばれる多機能携帯電話機又はフィーチャーフォンと呼ばれる携帯電話機であるが、データ通信専用の機器であってもよく、当該データ通信専用の機器は、携帯型でも据え置き型でもよい。以下、図１を参照して、移動通信システム１の概略について説明する。
【００１６】
図１は、移動通信システム１の概略を説明するための模式図である。
【００１７】
図１に示される携帯端末２は、ＡＸＧＰの通信規格に対応する通信モジュールを搭載する。ＡＸＧＰで使用される周波数帯域は、２５４５ＭＨｚ〜２５７５ＭＨｚであり、携帯端末２は、ＡＸＧＰで使用される周波数帯域を記憶する。以降、ＡＸＧＰで使用される周波数帯域を、ＡＸＧＰ帯域と称する。ＡＸＧＰ帯域は、第１周波数帯域の一例である。
【００１８】
ＡＸＧＰ帯域は、ＬＴＥバンド４１の周波数帯域（２４９６ＭＨｚ〜２６９０ＭＨｚ）に含まれる周波数帯域である。すなわち、ＬＴＥバンド４１の周波数帯域は、携帯端末２が通信可能なＡＸＧＰ帯域を含むとともに、携帯端末２が通信可能ではない周波数帯域を含む。ＬＴＥバンド４１の周波数帯域は、特定のＬＴＥ周波数帯域の一例である。
【００１９】
携帯端末２が通信可能ではない周波数帯域は、ＡＸＧＰ帯域以外の周波数帯域であり、例えば、地域ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ Ａｃｃｅｓ）で使用される周波数帯域である。なお、地域ＷｉＭＡＸは、特定の地域においてＷｉＭＡＸを提供する無線通信サービスであり、地域ＷｉＭＡＸで使用される周波数帯域として、２５７５ＭＨｚ〜２５９５ＭＨｚが使用される。以降、地域ＷｉＭＡＸで使用される周波数帯域を、地域ＷｉＭＡＸ帯域と称する。なお、地域ＷｉＭＡＸ帯域は、第２周波数帯域の一例である。
【００２０】
携帯端末２は、特定の基地局３１ａとの無線通信が確立された後、特定の基地局３１ａから継続的に送信されるリファレンス信号を受信し、受信されたリファレンス信号の電波品質又は電界強度を示す品質値を測定する。以降、無線通信が確立されている特定の基地局３１ａを確立基地局３１ａと称する場合がある。
【００２１】
リファレンス信号は、例えば、ＲＳ（Ｒｅｆｅｒｅｎｃｅ  Ｓｉｇｎａｌ）信号等の下り信号であり、特定信号の一例である。電波品質は、例えば、受信されたリファレンス信号の強度と携帯端末２によって検出されたノイズ強度とによって求められる値によって示される。なお、品質値は、電波品質を示す値、又は、リファレンス信号の強度すなわち受信した電界強度の値等である。
【００２２】
なお、携帯端末２は、確立基地局３１ａの無線通信が確立された際及び／又は確立された後の所定期間ごとに、確立基地局３１ａに、携帯端末２が無線通信可能な全てのＬＴＥバンドの番号を送信する。図１に示される例では、ＬＴＥバンド４１の番号４１が確立基地局３１ａに送信される（図１の（１））。バンドの番号は、対応帯域名の一例である。このように、携帯端末２は、通信可能なＡＸＧＰ帯域を含むＬＴＥバンドの対応帯域名（「４１」）を利用して確立基地局３１ａと通信を行う。なお、図１に示される例では、携帯端末２によって確立基地局３１ａに送信される対応帯域名は、ＬＴＥバンド４１の番号４１であるが、携帯端末２がＬＴＥバンド４１以外のＬＴＥバンドに対応する場合は、無線通信可能な全てのＬＴＥバンドの番号が、対応帯域名として送信される。
【００２３】
携帯端末２は、確立基地局３１ａからリファレンス信号を受信するたびに、測定したリファレンス信号の電波品質又は電界強度を示す品質値が、第１の所定値よりも低いか否かの判定を行う。携帯端末２は、測定した品質値が第１の所定値よりも低いと判定された場合（図１の（２））、測定した品質値が第１の所定値よりも低いことを示す測定報告を、確立基地局３１ａに送信する（図１の（３））。
【００２４】
確立基地局３１ａは、携帯端末２から送信された測定報告を受信すると、携帯端末２から送信されていた対応帯域名に係るＬＴＥバンド４１の全周波数を含む測定指示を、携帯端末２に送信する（図１の（４））。
【００２５】
携帯端末２は、確立基地局３１ａからの測定指示を受信すると、測定指示に含まれるＬＴＥバンド４１の周波数帯域の全周波数のリファレンス信号の電波品質又は電界強度を示す品質値を測定する。
【００２６】
ここで、携帯端末２は、確定基地局３１ａから送信された測定指示のうち、地域ＷｉＭＡＸ帯域の測定指示を無視して、基地局３１が送信したリファレンス信号の電波品質又は電界強度を示す品質値を測定する（図１の（５））。すなわち、携帯端末２は、確定基地局３１ａから送信された測定指示に含まれる全周波数のうち地域ＷｉＭＡＸ帯域に含まれる周波数以外の周波数のリファレンス信号の電波品質又は電界強度を示す品質値を測定する（図１の（５））。
【００２７】
そして、携帯端末２は、確定基地局３１ａから送信された測定指示に応じて測定した基地局３１のリファレンス信号の品質値が第２所定値よりも高い場合、第２所定値よりも高い特定信号を送信した基地局３１との無線通信の確立を実行するように制御する。例えば、携帯端末２は、第２所定値よりも高い特定信号を送信した基地局３１が確立基地局３１ａである場合、確立基地局３１ａとの無線通信を継続するように制御する。また、携帯端末２は、第２所定値よりも高い特定信号を送信した基地局３１が確立基地局３１ａとは異なる基地局３１ｂである場合、基地局３１ｂとの無線通信の確立を実行する（図１の（６））。以降、無線通信の確立を実行する対象となる基地局３１ｂを、ターゲット基地局３１ｂと称する場合がある。
【００２８】
このように、携帯端末２は、測定指示に含まれる全周波数のうち第２周波数帯域に含まれる周波数以外の周波数の特定信号を測定するように制御する。さらに、携帯端末２は、第２所定値よりも高い特定信号を送信した基地局３１が確立基地局３１ａである場合、確立基地局３１ａとの無線通信を継続するように制御する。これにより、非対応の周波数帯域の信号の品質値を測定しないように制御され、安定した無線通信を実現することが可能となる。
【００２９】
なお、上述した図１の説明は、本発明の内容への理解を深めるための説明にすぎない。本発明は、具体的には、次に説明する各実施形態において実施され、且つ、本発明の原則を実質的に超えずに、さまざまな変形例によって実施されてもよい。このような変形例はすべて、本発明および本明細書の開示範囲に含まれる。例えば、特定のＬＴＥ周波数帯域は、ＬＴＥバンド４１の周波数帯域に限らず、例えば、ＬＴＥバンド４２の周波数帯域であってもよい。
【００３０】
（移動通信システム１）
図２は、移動通信システム１の概略構成の一例を示す図である。移動通信システム１は、ＬＴＥの通信規格に対応し、無線ネットワーク（ｅＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ｎｅｔｗｏｒｋ））３と、コアネットワーク（ＥＰＣ（Ｅｖｏｌｖｅｄ  Ｐａｃｋｅｔ  Ｃｏｒｅ））４とを有する。なお、移動通信システム１の通信規格はＬＴＥに限らず、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００（Ｃｏｄｅ  Ｄｉｖｉｓｉｏｎ  Ｍｕｌｔｉｐｌｅ  Ａｃｃｅｓｓ  ２０００）等でもよい。以下、ＬＴＥの通信規格に対応する移動通信システム１を例にして説明する。
【００３１】
無線ネットワーク３は、携帯端末２と接続する基地局（ｅＮｏｄｅＢ（ｅｖｏｌｖｅｄ  Ｎｏｄｅ  Ｂ））３１を有する。コアネットワーク４は、ＭＭＥ（Ｍｏｂｉｌｉｔｙ  Ｍａｎａｇｅｍｅｎｔ  Ｅｎｔｉｔｙ）４１、ＳＧＷ（Ｓｅｒｖｉｎｇ  Ｇａｔｅｗａｙ）４２、ＰＧＷ（Ｐａｃｋｅｔ  ｄａｔａ  ｎｅｔｗｏｒｋ  Ｇａｔｅｗａｙ）４３及びＰＣＲＦ（Ｐｏｌｉｃｙ  ａｎｄ  Ｃｈａｒｇｉｎｇ  Ｒｕｌｅ  Ｆｕｎｃｔｉｏｎ）４４等を有し、基地局３１の制御並びに音声通話及びインターネット等の外部ネットワーク５との接続を実現する。なお、基地局３１は、無線通信中の携帯端末２から送信されたＬＴＥバンドの対応帯域名を記憶する。
【００３２】
ＭＭＥ４１は、シーケンス制御機能、携帯端末２が待ち受け状態である場合の位置管理機能、他の携帯端末２又は電話機（図示せず）等から着信があった場合の基地局３１に対するページング機能、携帯端末２の認証管理機能等を有する。シーケンス制御機能では、例えば、基地局３１又はＳＧＷ４２等に対するユーザデータの通信経路設定が行われる。
【００３３】
ＳＧＷ４２は、基地局３１を収容するパケットゲートウェイである。ＳＧＷ４２は、ユーザデータを伝送する機能等を有し、コアネットワーク４内の他の通信規格（３Ｇ等）の無線ネットワークとのユーザデータ転送経路を切り替える接続点となる。
【００３４】
ＰＧＷ４３は、外部ネットワーク５又はＩＭＳ（ＩＰ  Ｍｕｌｔｉｍｅｄｉａ  Ｓｕｂｓｙｓｔｅｍ）と接続するパケットゲートウェイである。ＰＧＷ４３は、ＩＭＳ等のパケットネットワーク（Ｐａｃｋｅｔ  Ｄａｔａ  Ｎｅｔｗｏｒｋ，ＰＤＮ）との接続点となり、携帯端末２へのＩＰアドレスの割り当て機能、携帯端末２がＬＴＥの無線アクセスとＣＤＭＡ２０００等の非３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）との間を移動する場合のユーザデータ転送機能等を有する。
【００３５】
ＰＣＲＦ４４は、ＱｏＳ（Ｑｕａｌｉｔｙ  ｏｆ  Ｓｅｒｖｉｃｅ）等のポリシー制御及び課金制御ルールを決定し、ＳＧＷ４２及びＰＧＷ４３にポリシー制御及び課金制御の指示を行う。ＰＣＲＦ４４は、ＩＭＳによる音声通話の利用時には、ＩＭＳと連携して音声ベアラの確立及び解放を実現しつつ、ＳＧＷ４２及びＰＧＷ４３を制御する。ポリシー制御では、例えば、優先度が高いパケット（音声パケット等）を、インターネットのブラウジングよりも優先する制御が行われる。
【００３６】
ＨＳＳ（Ｈｏｍｅ  Ｓｕｂｓｃｒｉｂｅｒ  Ｓｅｒｖｅｒ）６は、移動通信ネットワークの加入者情報を管理する。ＨＳＳ６には、携帯端末２を所有する加入者のプロファイル情報、識別子、サービスプロファイル等が記憶されている。
【００３７】
（携帯端末２の概略構成）
図３は、携帯端末２の概略構成の一例を示す図である。
【００３８】
携帯端末２は、基地局３１との無線通信の確立、リファレンス信号の電波品質又は電界強度を示す品質値の測定、所定のアプリケーションプログラムの実行等を可能とする。そのために、携帯端末２は、通信部２１と、記憶部２２と、操作部２３と、表示部２４と、処理部２５と、アンテナ部２６とを備える。
【００３９】
なお、携帯端末２としては多機能携帯電話（所謂「スマートフォン」）を想定するが、本発明はこれに限定されない。携帯端末２は、本発明が適用可能であればよく、例えば、携帯電話（所謂「フィーチャーフォン」）、携帯情報端末（Ｐｅｒｓｏｎａｌ Ｄｉｇｉｔａｌ  Ａｓｓｉｓｔａｎｔ，ＰＤＡ）、携帯ゲーム機、タブレット端末、タブレットＰＣ、ノートＰＣ等でもよい。
【００４０】
通信部２１は、所定の周波数帯を感受帯域とするアンテナ部２６と接続する。通信部２１は、通信インターフェース回路を有し、携帯端末２をコアネットワーク４（図２）に接続する。通信部２１は、基地局３１により割り当てられるチャネルを介して、基地局３１との間でＬＴＥ方式等による無線信号回線を確立し、基地局３１との間で通信を行う。なお、基地局３１との間の通信方式は、ＬＴＥ方式に限定されず、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式、ＣＤＭＡ（Ｃｏｄｅ  Ｄｉｖｉｓｉｏｎ  Ｍｕｌｔｉｐｌｅ  Ａｃｃｅｓｓ）方式等の他の通信方式でもよい。また、基地局３１との間の通信方式は、ＰＨＳ（Ｐｅｒｓｏｎａｌ  Ｈａｎｄｙ−ｐｈｏｎｅ  Ｓｙｓｔｅｍ）等の他の通信方式でもよい。そして、通信部２１は、基地局３１から受信したデータを処理部２５に供給する。また、通信部２１は、処理部２５から供給されたデータを基地局３１に送信する。なお、通信部２１の詳細については後述する。
【００４１】
記憶部２２は、例えば、半導体メモリを有する。記憶部２２は、処理部２５での処理に用いられるドライバプログラム、オペレーティングシステムプログラム、アプリケーションプログラム、データ等を記憶する。例えば、記憶部２２は、ドライバプログラムとして、通信部２１を制御する通信デバイスドライバプログラム、操作部２３を制御する入力デバイスドライバプログラム、表示部２４を制御する出力デバイスドライバプログラム等を記憶する。また、記憶部２２は、オペレーティングシステムプログラムとして、ＩＥＥＥ８０２．１１規格の無線通信方式を実行する接続制御プログラム、携帯電話の接続制御プログラム等を記憶する。また、記憶部２２は、アプリケーションプログラムとして、ウェブページの取得及び表示を行うウェブブラウザプログラム、電子メールの送信及び受信を行う電子メールプログラム等を記憶する。コンピュータプログラムは、例えば、ＳＤ（Ｓｅｃｕｒｅ  Ｄｉｇｉｔａｌ）カード等のコンピュータ読み取り可能な可搬型記録媒体から、公知のセットアッププログラム等を用いて記憶部２２にインストールされてもよい。また、記憶部２２は、データとして、通信可能なＡＸＧＰで使用されるＡＸＧＰ帯域及び携帯端末２が通信可能ではない地域ＷｉＭＡＸ帯域等を記憶する。
【００４２】
操作部２３は、携帯端末２の操作が可能であればどのようなデバイスでもよく、例えば、タッチパネル式の入力装置、キーパッド等である。ユーザは、このデバイスを用いて、文字、数字等を入力することができる。操作部２３は、ユーザにより操作されると、その操作に対応する信号を発生する。発生した信号は、ユーザの指示として、処理部２５に入力される。
【００４３】
表示部２４は、動画像、静止画像等の出力が可能であればどのようなデバイスでもよく、例えば、タッチパネル式の表示装置、液晶ディスプレイ、有機ＥＬ（Ｅｌｅｃｔｒｏ−Ｌｕｍｉｎｅｓｃｅｎｃｅ）ディスプレイ等である。表示部２４は、処理部２５から供給される動画像データに応じた動画像、静止画像データに応じた静止画像等を表示する。
【００４４】
処理部２５は、一又は複数個のプロセッサ及びその周辺回路を有する。処理部２５は、携帯端末２の全体的な動作を統括的に制御するものであり、例えば、ＣＰＵ（Ｃｅｎｔｒａｌ  Ｐｒｏｃｅｓｓｉｎｇ  Ｕｎｉｔ）である。処理部２５は、携帯端末２の各種処理が記憶部２２に記憶されているプログラム及び操作部２３の操作からの出力等に応じて適切な手順で実行されるように、通信部２１、表示部２４等の動作を制御する。処理部２５は、記憶部２２に記憶されているプログラム（ドライバプログラム、オペレーティングシステムプログラム、アプリケーションプログラム等）に基づいて処理を実行する。また、処理部２５は、複数のプログラム（アプリケーションプログラム等）を並列に実行することができる。
【００４５】
処理部２５は、制御部２５１を有する。制御部２５１は、処理部２５が有するプロセッサ上で実行されるプログラムによって実装される機能モジュールである。あるいは、処理部２５が有するこれらの各部は、独立した集積回路、マイクロプロセッサ、又はファームウェアとして携帯端末２に実装されてもよい。
【００４６】
（通信部２１の概略構成）
図４は、通信部２１の概略構成の一例を示す図である。
【００４７】
通信部２１は、コアネットワーク４への接続、基地局３１からの信号の受信、及び基地局３１への信号の送信を行う。そのために、通信部２１は、送受信部２１１と、測定部２１２と、通信制御部２１３とを備える。
【００４８】
送受信部２１１は、確立基地局３１ａに、携帯端末２が無線通信可能な全てのＬＴＥバンドの番号を、アンテナ部２６を介して送信する。また、送受信部２１１は、確立基地局３１ａから継続的に送信されるリファレンス信号を、アンテナ部２６を介して受信し、受信したリファレンス信号を、後述する測定部２１２に渡す。送受信部２１１は、確立基地局３１ａによって送信されたリファレンス信号の品質値が第１の所定値よりも低いことを示す測定報告を、アンテナ部２６を介して確立基地局３１ａに送信する。
【００４９】
送受信部２１１は、確立基地局３１ａから送信された測定指示を、アンテナ部２６を介して受信すると、後述する通信制御部２１３に測定指示を渡し、通信制御部２１３及び制御部２５１に通信確立処理の実行を指示する。そして、送受信部２１１は、通信確立処理によってターゲット基地局３１ｂが特定された場合、無線通信の確立要求を、特定されたターゲット基地局３１ｂに送信する。
【００５０】
また、送受信部２１１は、通信制御部２１３を介して、処理部２５から受け取った音声又はデータのデジタル信号を、アンテナ部２６を介して基地局３１に送信する。また、送受信部２１１は、アンテナ部２６を介して基地局３１から送信された音声又はデータのデジタル信号を受信し、受信したデジタル信号を処理部２５に渡す。なお、送受信部２１１は、第１送信部、第２送信部及び受信部の一例である。
【００５１】
測定部２１２は、送受信部２１１からリファレンス信号を受け取り、リファレンス信号の品質値を測定する。例えば、測定部２１２は、確立基地局３１ａから継続的に送信されるリファレンス信号が送受信部２１１によって受信されるたびに、受信されたリファレンス信号の強度と携帯端末２によって検出されたノイズ強度とに基づいて、リファレンス信号の品質値を測定する。また、測定部２１２は、送受信部２１１によって確立基地局３１ａから送信された測定指示が受信されると、通信制御部２１３からの指示に従い、地域ＷｉＭＡＸ帯域に含まれる周波数以外の周波数のリファレンス信号の電波品質又は電界強度を示す品質値の測定を行う。なお、測定部２１２は、受信されたリファレンス信号の強度（電界強度）の値を、当該リファレンス信号の品質値として測定してもよい。また、測定部２１２は、測定されたリファレンス信号の品質値を通信制御部２１３に渡す。
【００５２】
通信制御部２１３は、確立基地局３１ａの無線通信が確立された際及び／又は確立された後の所定期間ごとに、携帯端末２が無線通信可能なＬＴＥバンドの番号の送信を送受信部２１１に指示する。通信制御部２１３は、測定部２１２から受け取った、確立基地局３１ａから継続的に受信されたリファレンス信号の電波品質又は電界強度を示す品質値が、第１の所定値よりも低いか否かを判定する。次に、通信制御部２１３は、確立基地局３１ａからのリファレンス信号の品質値が第１の所定値よりも低いと判定した場合、測定された品質値が第１の所定値よりも低いことを示す測定報告を確立基地局３１ａに送信するように送受信部２１１に指示する。
【００５３】
通信制御部２１３は、送受信部２１１から測定指示を取得すると、制御部２５１に、記憶部２２に記憶されたＡＸＧＰ帯域及び／又は地域ＷｉＭＡＸ帯域の読み出しを指示する。通信制御部２１３は、制御部２５１から、ＡＸＧＰ帯域及び／又は地域ＷｉＭＡＸ帯域を受け取ると、確定基地局３１ａから送信された測定指示に含まれる全周波数のうち地域ＷｉＭＡＸ帯域に含まれる周波数以外の周波数のリファレンス信号の電波品質又は電界強度を示す品質値の測定を測定部２１２に指示する。通信制御部２１３は、確定基地局３１ａから送信された測定指示に応じて測定した基地局３１のリファレンス信号の品質値が第２所定値よりも高く且つリファレンス信号を送信した基地局３１が確定基地局３１ａか否かを判定する。
【００５４】
通信制御部２１３は、確定基地局３１ａによって第２所定値よりも高い品質値のリファレンス信号が送信されていると判定した場合、確立基地局３１ａとの無線通信を継続するように送受信部２１１を制御する。また、通信制御部２１３は、確立基地局３１ａとは異なる基地局３１ｂによって第２所定値よりも高い品質値のリファレンス信号が送信されていると判定した場合、当該基地局３１ｂを、ターゲット基地局３１ｂとして無線通信の確立を実行する。
【００５５】
なお、品質値が第２所定値よりも高いリファレンス信号を送信した基地局３１として、確定基地局３１ａ及び確立基地局３１ａとは異なる基地局３１ｂの両者が判定された場合、通信制御部２１３は、先に測定されたリファレンス信号を送信した基地局３１が確定基地局３１ａか基地局３１ｂかを判定する。そして、通信制御部２１３は、測定部２１２によって先に測定されたリファレンス信号を送信した基地局３１が確立基地局３１ａであれば、確立基地局３１ａとの無線通信を継続するように制御し、測定部２１２によって先に測定されたリファレンス信号を送信した基地局３１が基地局３１ｂであれば、基地局３１ｂとの無線通信の確立を実行するように制御する。
【００５６】
制御部２５１は、通信制御部２１３からＡＸＧＰ帯域及び／又は地域ＷｉＭＡＸ帯域の読み出しの指示を受け取ると、記憶部２２からＡＸＧＰ帯域及び／又は地域ＷｉＭＡＸ帯域を読み出し、通信制御部２１３に渡す。
【００５７】
（移動通信システム１の動作シーケンス）
図５は、移動通信システム１の動作シーケンスの一例を示す図である。
【００５８】
まず、携帯端末２の通信制御部２１３は、確立基地局３１ａの無線通信が確立された際及び／又は確立された後の所定期間ごとに、携帯端末２が無線通信可能なＬＴＥバンドの番号の送信を送受信部２１１に指示する。そして、携帯端末２の送受信部２１１は、アンテナ部２６を介して基地局３１に、対応帯域名（ＬＴＥバンドの番号）を送信する（ステップＳ１０１）。
【００５９】
次に、確立基地局３１ａは、無線通信が確立された携帯端末２に、リファレンス信号を継続的に送信する（ステップＳ１０２）。
【００６０】
次に、携帯端末２の送受信部２１１は、確立基地局３１ａから継続的に送信されるリファレンス信号を、アンテナ部２６を介して受信し、受信したリファレンス信号を測定部２１２に渡す。測定部２１２は、送受信部２１１から受け取ったリファレンス信号の電波品質又は電界強度を示す品質値を測定する（ステップＳ１０３）。なお、携帯端末２の測定部２１２は、確立基地局３１ａからの品質値の測定の指示が、送受信部２１１によって受信された場合に限り、複数の基地局３１のそれぞれから継続的に送信されるリファレンス信号の品質値を測定するように通信制御部２１３から制御されてもよい。
【００６１】
次に、測定部２１２は、継続的に測定されたリファレンス信号を、通信制御部２１３に渡す。通信制御部２１３は、測定部２１２から受け取ったリファレンス信号の電波品質又は電界強度を示す品質値が第１の所定値よりも低いか否かを判定する。次に、通信制御部２１３は、品質値が第１の所定値よりも低いと判定した場合、測定された品質値が第１の所定値よりも低いことを示す測定報告を確立基地局３１ａに送信するように送受信部２１１に指示する。そして、送受信部は、測定された品質値が第１の所定値よりも低いことを示す測定報告を、アンテナ部２６を介して確立基地局３１ａに送信する（ステップＳ１０４）。
【００６２】
次に、確立基地局３１ａは、携帯端末２からの測定報告を受信すると、ステップＳ１０１において携帯端末２から送信されていた対応帯域名に係るＬＴＥバンドの全周波数を含む測定指示を携帯端末２に送信する（ステップＳ１０５）。
【００６３】
次に、携帯端末２の送受信部２１１は、確立基地局３１ａからの測定指示を、アンテナ部２６を介して受信すると、通信制御部２１３に測定指示を渡し、通信制御部２１３及び制御部２５１に通信確立処理の実行を指示する（ステップＳ１０６）。通信確立処理の詳細は後述する。
【００６４】
そして、携帯端末２の送受信部２１１は、通信確立処理によってターゲット基地局３１ｂが特定された場合、無線通信の確立要求を、特定されたターゲット基地局３１ｂに送信する（ステップＳ１０７）。
【００６５】
（通信確立処理）
図６は、通信確立処理の動作フローの一例を示す図である。図６に示す通信確立処理は、図５のステップＳ１０７において実行される。
【００６６】
最初に、携帯端末２の通信制御部２１３は、送受信部２１１から測定指示を取得する（ステップＳ２０１）。
【００６７】
次に、通信制御部２１３は、送受信部２１１から取得した測定指示を制御部２５１に渡す。次に、制御部２５１は、測定指示を通信制御部２１３から記憶部２２からＡＸＧＰ帯域及び／又は地域ＷｉＭＡＸ帯域を読み出し、通信制御部２１３に渡す。通信制御部２１３は、制御部２５１から、ＡＸＧＰ帯域及び／又は地域ＷｉＭＡＸ帯域を受け取る。次に、通信制御部２１３は、確定基地局３１ａから送信された測定指示に含まれる全周波数のうち地域ＷｉＭＡＸ帯域に含まれる周波数以外の周波数のリファレンス信号の電波品質又は電界強度を示す品質値の測定を測定部２１２に指示する。測定部２１２は、通信制御部２１３からの指示に従い、地域ＷｉＭＡＸ帯域に含まれる周波数以外の周波数のリファレンス信号の電波品質又は電界強度を示す品質値を測定し（ステップＳ２０２）、測定したリファレンス信号の品質値を通信制御部２１３に渡す。なお、通信制御部２１３からの指示は、携帯端末２が通信可能でない周波数帯域を無視する指示であれば、どのような指示でもよく、例えば、ＡＸＧＰ帯域に含まれるリファレンス信号のみの電波品質又は電界強度を示す品質値の測定の指示でもよい。
【００６８】
次に、通信制御部２１３は、確定基地局３１ａから送信された測定指示に応じて測定した基地局３１のリファレンス信号の品質値が第２所定値よりも高く且つリファレンス信号を送信した基地局３１が確定基地局３１ａか否かを判定する（ステップＳ２０３）。
【００６９】
通信制御部２１３は、確定基地局３１ａによって第２所定値よりも高い品質値のリファレンス信号が送信されている場合（ステップＳ２０３−Ｙｅｓ）、一連のステップを終了する。これにより、通信制御部２１３は、確立基地局３１ａとの無線通信を継続するように送受信部２１１を制御する。
【００７０】
また、通信制御部２１３は、確立基地局３１ａとは異なる基地局３１ｂによって第２所定値よりも高い品質値のリファレンス信号が送信されている場合（ステップＳ２０３−Ｎｏ）、当該基地局３１ｂを、ターゲット基地局３１ｂとして無線通信の確立を実行し（ステップＳ２０４）、一連のステップを終了する。
【００７１】
以上、詳述したとおり、携帯端末２の通信制御部２１３は、確定基地局３１ａから送信された測定指示に含まれる全周波数のうち地域ＷｉＭＡＸ帯域に含まれる周波数以外の周波数のリファレンス信号の電波品質又は電界強度を示す品質値の測定を測定部２１２に指示する。これにより、非対応の周波数帯域の信号の品質値の測定を実行しないように制御し、安定した無線通信を実現することが可能となる。
【００７２】
当業者は、本発明の精神及び範囲から外れることなく、様々な変更、置換、及び修正をこれに加えることが可能であることを理解されたい。
【符号の説明】
【００７３】
１    移動通信システム
２    携帯端末
２１    通信部
２１１    送受信部
２１２    測定部
２１３    通信制御部
２２    記憶部
２３    操作部
２４    表示部
２５    処理部
２５１    制御部
３    無線ネットワーク
３１，３１ａ，３１ｂ    基地局
４    コアネットワーク
４１    ＭＭＥ（Ｍｏｂｉｌｉｔｙ  Ｍａｎａｇｅｍｅｎｔ  Ｅｎｔｉｔｙ）
４２    ＳＧＷ（Ｓｅｒｖｉｎｇ  Ｇａｔｅｗａｙ）
４３    ＰＧＷ（Ｐａｃｋｅｔ  ｄａｔａ  ｎｅｔｗｏｒｋ  Ｇａｔｅｗａｙ）
４４    ＰＣＲＦ（Ｐｏｌｉｃｙ  ａｎｄ  Ｃｈａｒｇｉｎｇ  Ｒｕｌｅ  Ｆｕｎｃｔｉｏｎ）
５    外部ネットワーク
６    ＨＳＳ（Ｈｏｍｅ  Ｓｕｂｓｃｒｉｂｅｒ  Ｓｅｒｖｅｒ）
【図１】
2018014593.tif 000003
【図２】
2018014593.tif 000004
【図３】
2018014593.tif 000005
【図４】
2018014593.tif 000006
【図５】
2018014593.tif 000007
【図６】
2018014593.tif 000008